(57)【要約】【課題】外来ノイズ等の外的要因によって、通信路の接続関係が外れた場合の方策を講じるようにしたデータ通信のための装置および方法を提供する。【解決手段】バスリセットが発生し（ステップＳ４）、コネクションが張られた双方の機器が１秒以内にバス上に復帰してこない場合であっても（ステップＳ５）、さらに一定時間Ｔｓの間バス上を監視するようにし、一定時間Ｔｓ内に相手機器がバス上に復帰してきたときには、再度コネクションを張りなおし（ステップＳ１１）、データの送受を再開させる（ステップＳ１２）。【選択図】        図５
2004254126.tif 000002
【特許請求の範囲】
【請求項１】
目的とする相手機器に対して接続要求を送信し、前記相手機器との間で通信路の接続関係を確立するようにする接続確立手段と、
前記接続確立手段により接続関係が確立された前記通信路を通じて、所定の通信規格に従って前記相手機器にデータを送信するようにする送信手段と、
前記データの送信途中において、前記通信路の接続関係が途切れた場合に、所定の前記通信規格に応じた規格時間内に自機と前記相手機器とが通信路上に復帰した状態になったか否かを判別する第１の判別手段と、
前記第１の判別手段により、前記規格時間内に復帰した状態にならなかったと判別された場合に、さらに所定時間内に自機と前記相手機器とが通信路上に復帰した状態になったか否かを判別する第２の判別手段と、
前記第２の検出手段により、所定時間内に自機と前記相手機器とが通信路上に復帰した状態になったと判別された場合に、前記接続確立手段を制御して、再度、前記通信路の接続関係を確立し、前記送信手段を制御して前記データの送信を継続するようにする制御手段と
を備えることを特徴とするデータ通信装置。
【請求項２】
目的とする相手機器に対して接続要求を送信し、前記相手機器との間で通信路の接続関係を確立するようにする接続確立手段と、
前記接続確立手段により接続関係が確立された前記通信路を通じて、所定の通信規格に従って前記相手機器から転送されてくるデータを受信する受信手段と、
前記データの転送途中において、前記通信路の接続関係が途切れた場合に、所定の前記通信規格に応じた規格時間内に自機と前記相手機器とが通信路上に復帰した状態になったか否かを判別する第１の判別手段と、
前記第１の判別手段により、前記規格時間内に復帰した状態にならなかったと判別された場合に、さらに所定時間内に自機と前記相手機器とが通信路上に復帰した状態になったか否かを判別する第２の判別手段と、
前記第２の検出手段により、所定時間内に自機と前記相手機器とが通信路上に復帰した状態になったと判別された場合に、前記接続確立手段を制御して、再度、前記通信路の接続関係を確立し、前記受信手段を制御して前記データの受信を継続するようにする制御手段と
を備えることを特徴とするデータ通信装置。
【請求項３】
請求項１または請求項２に記載のデータ通信装置において、
所定の前記通信規格は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４規格であることを特徴とするデータ通信装置。
【請求項４】
目的とする相手機器に対して接続要求を送信し、前記相手機器との間で通信路の接続関係を確立するようにする接続確立ステップと、
接続関係が確立された前記通信路を通じて、所定の通信規格に従って前記相手機器にデータを送信するようにする送信ステップと、
前記データの送信途中において、前記通信路の接続関係が途切れた場合に、所定の前記通信規格に応じた規格時間内に自機と前記相手機器とが通信路上に復帰した状態になったか否かを判別する第１の判別ステップと、
前記第１の判別ステップにおいて、前記規格時間内に復帰した状態にならなかったと判別した場合に、さらに所定時間内に自機と前記相手機器とが通信路上に復帰した状態になったか否かを判別する第２の判別ステップと、
前記第２の検出ステップにおいて、所定時間内に自機と前記相手機器とが通信路上に復帰した状態になったと判別した場合に、再度、前記通信路の接続関係を確立し、前記データの送信を継続するようにする再接続ステップと
有することを特徴とするデータ通信方法。
【請求項５】
目的とする相手機器に対して接続要求を送信し、前記相手機器との間で通信路の接続関係を確立するようにする接続確立ステップと、
接続関係が確立された前記通信路を通じて、所定の通信規格に従って前記相手機器から転送されてくるデータを受信する受信ステップと、
前記データの転送途中において、前記通信路の接続関係が途切れた場合に、所定の前記通信規格に応じた規格時間内に自機と前記相手機器とが通信路上に復帰した状態になったか否かを判別する第１の判別ステップと、
前記第１の判別ステップにおいて、前記規格時間内に復帰した状態にならなかったと判別した場合に、さらに所定時間内に自機と前記相手機器とが通信路上に復帰した状態になったか否かを判別する第２の判別ステップと、
前記第２の検出ステップにおいて、所定時間内に自機と前記相手機器とが通信路上に復帰した状態になったと判別した場合に、再度、前記通信路の接続関係を確立し、前記データの受信を継続するようにする再接続ステップと
を有することを特徴とするデータ通信方法。
【請求項６】
請求項４または請求項５に記載のデータ通信方法において、
所定の前記通信規格は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４規格であることを特徴とするデータ通信方法。
【発明の詳細な説明】
【０００１】
【発明の属する技術分野】
この発明は、例えば、ＩＥＥＥ１３９４規格などのデジタルインターフェースを通じてデータを送信あるいは受信するようにする装置、方法に関する。
【０００２】
【従来の技術】
ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４規格のデジタルインターフェースが種々の電子機器に搭載されるようになってきている。ＩＥＥＥ１３９４規格のデジタルインターフェースは、最大データ転送速度が４００メガビット／秒と高速であり、接続できる機器は、最大６３台、機器間の距離は最大４．５メートル、最も離れた機器間の距離は７２メートルである。また、転送方式として、リアルタイム性に優れたアイソクロナス転送の他、非同期転送やブロードキャスト転送をサポートしている。
【０００３】
このように、ＩＥＥＥ１３９４規格のデジタルインターフェースは、データの転送速度が高速であり、柔軟に種々の機器を接続することができ、また、リアルタイム性が要求される動画像データや音楽データ等の伝送に適したアイソクロナス転送方式を提供するなどの特徴を有している。
【０００４】
このため、ＩＥＥＥ１３９４規格のデジタルインターフェースは、コンピュータと周辺機器とを接続するためのインターフェースとして用いられるだけでなく、例えば、ＩＲＤ（Ｉｎｔｅｇｒａｔｅｄ  Ｒｅｃｅｉｖｅｒ  Ｄｅｃｏｄｅｒ）などと呼ばれるデジタル放送用の受信チューナ、ハードディスク装置やデジタルＶＴＲ（Ｖｉｄｅｏ  Ｔａｐｅ  Ｒｅｃｏｒｄｅｒ）などの記録再生装置、記録装置、再生装置、テレビ受像機など、種々のいわゆるＡＶ（Ａｕｄｉｏ／Ｖｉｓｕａｌ）機器等をも接続して形成する家庭内ネットワークにおけるインフラとしても注目されている。
【０００５】
そして、ＩＥＥＥ１３９４規格のデジタルインターフェースにおいては、データを伝送する場合に何らかの原因により、予め決められたタイムアウト時間（例えば１００秒間）の間、データの送受信が適正に行えなかった場合には、リセット処理を行って新たに初めからデータの送受を行うようにすることによって、確実にデータの送受を行えるようにしている。
【０００６】
しかし、例えば、パーソナルコンピュータとインクジェットプリンタとをＩＥＥＥ１３９４規格のデジタルインターフェースで接続した場合であって、印字すべきデータの伝送途中で、インクジェットプリンタがヘッドクリーニングを行うなどして、予め決められたタイムアウト時間分以上、データの送受が行えなかった場合、上述したように、リセット処理が行われて、初めからデータが送信するようにされるので、送受が中断された時点からデータの送受を再開させることができないという不都合が生じる場合がある。
【０００７】
このような不都合を回避するため、特許文献１（特開２００１−１７５５４６号公報）には、ＩＥＥＥ１３９４規格のデジタルインターフェースを通じてパーソナルコンピュータに接続されるインクジェットプリンタにおいて、データの受信中にヘッドクリーニングが発生した場合には、予め決められたタイムアウト時間よりも短いタイミングでエラーステータスをパーソナルコンピュータに送信する方式が提案されている。
【０００８】
このように、タイムアウト時間より短いタイミングでエラーステータスをプリンタからパーソナルコンピュータに送信することによって、パーソナルコンピュータにおいては、再度、予め決められたタイムアウト時間分待つことができるようにされ、実質的にタイムアウト時間を延長するようにして、中断時点からのデータの送受を再開することができるようにしている。この技術は、受信機器の動作状態に起因し、数十秒以上の比較的に長時間に渡ってデータの送受ができない場合に有効である。
【０００９】
【特許文献１】
特開２００１−１７５５４６号公報
【００１０】
【発明が解決しようとする課題】
ところで、ＩＥＥＥ１３９４規格のデジタルインターフェースは、上述もしたように、データ転送速度が高速であり、微少な信号のやり取りによって成り立っているため、外来ノイズによる影響を受けやすい状況にある。例えば、外来ノイズの影響を受けて、いわゆるトポロジ情報がクリアされるバスリセット（バスの接続関係の初期化）が発生してしまうことも考えられる。このため、外来ノイズに起因して発生するバスリセットに対する対策も講じておく必要がある。
【００１１】
ここで、ＩＥＥＥ１３９４規格のデジタルインターフェースを用いている場合の外来ノイズに起因して発生する可能性のある問題点について考える。ＩＥＥＥ１３９４規格のデジタルインターフェースの場合、データのやり取りをする前の段階として、データを送信する機器とデータを受信する機器との双方が、相手機器をお互いに認識して、データを送受する通信路の接続関係を確立する動作を行う。
【００１２】
つまり、送信側の機器と受信側の機器とが所定の信号を送受することにより、相手機器がどの機器で、その機器の準備が整ったか否かを確認し、送信側の機器においてはどのチャンネルを通じてどの機器にデータを送信し、受信側の機器においてはどのチャンネルを通じてどの機器からのデータを受信するかを示す情報が保持され、管理するようにされる。
【００１３】
このようにして通信路の接続関係を確立することを、コネクションを張る、あるいは、リンクを張るなどと呼んでいる。そして、ＩＥＥＥ１３９４規格のデジタルインターフェースによって接続された電子機器間においては、上述したように、機器認識を行って、コネクションを張ることにより、ストリーム（データ）の伝送が可能になる。
【００１４】
しかし、コネクションを張っているときに、ＩＥＥＥ１３９４規格のデジタルバスに飛び込む、交流電源（ＡＣ電源）や静電気などに起因するノイズ等の影響を受けて、上述もしたように、バスリセットが発生する可能性がある。この場合、ＩＥＥＥ１３９４規格においては、規格時間内（例えば１秒以内）に送信側と受信側の機器がバス上に復帰できたときには、コネクションの状態は保持され、元のようにコネクションを自動的に復旧させて、データの送受を継続させることができるようにされている。
【００１５】
突発的に発生するノイズ等の影響は、比較的に短い時間で解消される場合が多いので、多くの場合には、規格時間内においての復帰によって、自動的に復旧されると考えられる。しかし、バスリセット発生によって、自機あるいは他機の状態が不安定になり、規格時間内（例えば１秒以内）に送信側と受信側の機器の内の一方でもバス上に復帰できないときには、その後に復帰してきたとしても、通信路の接続関係が外れて（コネクションが外れて）、データの送受ができなくなる。
【００１６】
具体的に説明すると、ＩＥＥＥ１３９４規格のデジタルインターフェースを通じて例えば映像データの供給を受け、この映像データに応じた映像を視聴しているときに、ノイズ等の影響を受けてバスリセットが発生し、規格時間内に送信側と受信側の機器の内の一方でも復帰できないときにはコネクションが外れ、映像データは供給されなくなるので映像は途切れてしまうことになる。この場合、使用者（ユーザ）がコネクションを張りなおすようにする操作を行うまでは映像は途切れたままである。
【００１７】
このように、バスリセットが発生し、規格時間内に復帰しなかった場合に、コネクションを張りなおす操作を行わなければならないのでは、使用者にとっては面倒である。また、ＩＥＥＥ１３９４規格のデジタルインターフェースを通じて供給される映像データを記録媒体に記録する録画の場合、特に、予約録画の場合には、使用者が録画中の映像データによる映像をモニタしていることは少ないので、バスリセット発生後の録画ができなくなってしまう可能性が高くなる。
【００１８】
ＩＥＥＥ１３９４規格のデジタルインターフェースを、いわゆるＡＶ機器などをも接続して形成する家庭内ネットワークのインフラとして用いることを考えると、機器の意図しない外来ノイズ等の影響によってバスリセットが発生した場合についての適切な方策を講じることが重要になってきている。
【００１９】
以上のことにかんがみ、この発明は、外来ノイズ等の外的要因によって、通信路の接続関係が外れた場合の方策を講じるようにしたデータ通信のための装置および方法を提供することを目的とする。
【００２０】
【課題を解決するための手段】
上記課題を解決するため、請求項１に記載の発明のデータ通信装置は、
目的とする相手機器に対して接続要求を送信し、前記相手機器との間で通信路の接続関係を確立するようにする接続確立手段と、
前記接続確立手段により接続関係が確立された前記通信路を通じて、所定の通信規格に従って前記相手機器にデータを送信するようにする送信手段と、
前記データの送信途中において、前記通信路の接続関係が途切れた場合に、所定の前記通信規格に応じた規格時間内に自機と前記相手機器とが通信路上に復帰した状態になったか否かを判別する第１の判別手段と、
前記第１の判別手段により、前記規格時間内に復帰した状態にならなかったと判別された場合に、さらに所定時間内に自機と前記相手機器とが通信路上に復帰した状態になったか否かを判別する第２の判別手段と、
前記第２の検出手段により、所定時間内に自機と前記相手機器とが通信路上に復帰した状態になったと判別された場合に、前記接続確立手段を制御して、再度、前記通信路の接続関係を確立し、前記送信手段を制御して前記データの送信を継続するようにする制御手段と
を備えることを特徴とする。
【００２１】
この請求項１に記載の発明のデータ通信装置によれば、接続確立手段によって接続関係が確立された通信路を通じて、送信手段によりデータが相手機器に送信されている場合に、第１の判別手段により、通信路の接続関係が途切れ、規格時間内に自機と相手機器との少なくとも一方が通信路上に復帰していないことが検出された場合に、さらに、第２の検出手段により所定時間内に自機と相手機器とが通信路に復帰したか否かが検出される。
【００２２】
第２の検出手段により、所定時間内に自機と相手機器とが通信路に復帰してきたことが検出された場合には、制御手段により接続確立手段と送信手段とが制御され、通信路の接続関係が再確立された後、データの送信が継続再開（続行）するようにされる。
【００２３】
これにより、外来ノイズ等により、通信路の接続関係が途切れ、用いている通信規格で規定されている規格時間内に自機と相手機器とが通信路上に復帰してこなかった場合であっても、規格時間後、さらに所定時間の間、通信路を監視し、この所定時間の間に、自機と相手機器との双方が通信路に復帰してきたときには、通信路の接続関係を元のまま確立するようにして、データの送信が続行できるようにされる。
【００２４】
また、請求項２に記載の発明のデータ通信装置は、
目的とする相手機器に対して接続要求を送信し、前記相手機器との間で通信路の接続関係を確立するようにする接続確立手段と、
前記接続確立手段により接続関係が確立された前記通信路を通じて、所定の通信規格に従って前記相手機器から転送されてくるデータを受信する受信手段と、
前記データの転送途中において、前記通信路の接続関係が途切れた場合に、所定の前記通信規格に応じた規格時間内に自機と前記相手機器とが通信路上に復帰した状態になったか否かを判別する第１の判別手段と、
前記第１の判別手段により、前記規格時間内に復帰した状態にならなかったと判別された場合に、さらに所定時間内に自機と前記相手機器とが通信路上に復帰した状態になったか否かを判別する第２の判別手段と、
前記第２の検出手段により、所定時間内に自機と前記相手機器とが通信路上に復帰した状態になったと判別された場合に、前記接続確立手段を制御して、再度、前記通信路の接続関係を確立し、前記受信手段を制御して前記データの受信を継続するようにする制御手段と
を備えることを特徴とする。
【００２５】
この請求項２に記載の発明のデータ通信装置によれば、接続確立手段によって接続関係が確立された通信路を通じて送信されてくるデータが、受信手段により受信するようにされている場合に、第１の判別手段により、通信路の接続関係が途切れ、規格時間内に自機と相手機器との少なくとも一方が通信路上に復帰していないことが検出された場合に、さらに、第２の検出手段により所定時間内に自機と相手機器とが通信路に復帰したか否かが検出される。
【００２６】
第２の検出手段により、所定時間内に自機と相手機器とが通信路に復帰してきたことが検出された場合には、制御手段により接続確立手段と受信手段とが制御され、通信路の接続関係が再確立された後、データの受信が継続再開（続行）するようにされる。
【００２７】
これにより、外来ノイズ等により、通信路の接続関係が途切れ、用いている通信規格で規定されている規格時間内に自機と相手機器とが通信路上に復帰してこなかった場合であっても、規格時間後、さらに所定時間の間、通信路を監視し、この所定時間の間に、自機と相手機器との双方が通信路に復帰してきたときには、通信路の接続関係を元のまま確立するようにして、当該通信路を通じて送信されてくるデータの受信が続行できるようにされる。
【００２８】
【発明の実施の形態】
以下、図を参照しながら、この発明による装置、方法の一実施の形態について説明する。以下に説明する実施の形態においては、この発明による装置、方法を、ＩＥＥＥ１３９４規格のデジタルインターフェース機能を備えた電子機器であって、家庭内ネットワークシステムを構成する、テレビ受像機と、ＨＤＤ（Ｈａｒｄ  Ｄｉｓｋ  Ｄｒｉｖｅ）やＤＶＴＲ（Ｄｉｇｉｔａｌ  Ｖｉｄｅｏ  Ｔａｐｅ  Ｒｅｃｏｒｄｅｒ）などの記録再生機と、ＩＲＤ（Ｉｎｔｅｇｒａｔｅｄ  Ｒｅｃｅｉｖｅｒ  Ｄｅｃｏｄｅｒ）などのデジタル放送の受信機とに適用した場合を例にして説明する。
【００２９】
［家庭内ネットワークの構成例について］
図１は、この実施の形態の家庭内ネットワークシステムの構成例を説明するための図である。図１に示すように、この実施の形態の家庭内ネットワークシステムは、テレビ受像機１、ＨＤＤやＤＶＴＲなどの記録再生機２、ＩＲＤなどのデジタル放送の受信機３とにより構成されたものである。なお、以下においては、説明を簡単にするための、記録再生機２はＨＤＤ（ハードディスク装置）であり、デジタル放送の受信機３は、ＩＲＤであるものとして説明する。
【００３０】
この実施の形態の家庭内ネットワークシステムを構成する機器であるテレビ受像機１、ＨＤＤ２、ＩＲＤ３のそれぞれは、ＩＥＥＥ１３９４規格のデジタルインターフェース機能を備えたものであり、図１Ａに示すように、テレビ受像機１とＨＤＤ２とは、ＩＥＥＥ１３９４規格に準拠したデジタル信号線であるＩＥＥＥ１３９４ケーブル４を通じて接続され、同じく、ＨＤＤ２とＩＲＤ３とは、ＩＥＥＥ１３９４ケーブル５を通じて接続されている。
【００３１】
すなわち、図１Ａに示したように接続されて形成されたこの実施の形態の家庭内ネットワークシステムは、図１Ｂに示すように、テレビ受像機１、ＨＤＤ２、ＩＲＤ３のそれぞれが、１本のデジタルバス（ＩＥＥＥ１３９４バス）によってバス接続されて構成されたものであると言える。
【００３２】
そして、図１に示した家庭内ネットワークシステムの場合には、ＨＤＤ２に記録されている例えば映画の映像データと音声データとをデジタルバス（ＩＥＥＥ１３９４ケーブル４）を通じてテレビ受像機１に供給し、テレビ受像機１を通じてその映画の映像と音声とを視聴することができるようにされる。
【００３３】
また、図１に示した家庭内ネットワークシステムの場合には、ＩＲＤ３によって受信選局されたデジタル放送番組の放送信号（放送データ）をデジタルバス（ＩＥＥＥ１３９４ケーブル５）を通じてＨＤＤ２に供給し、これをＨＤＤ２のハードディスクに記録したり、ＩＲＤ２によって受信選局されたデジタル放送番組の放送データをデジタルバス（ＩＥＥＥ１３９４ケーブル４、５）を通じてテレビ受像機１に供給し、テレビ受像機１を通じてそのデジタル放送番組の映像と音声とを視聴したりすることができるようにされる。
【００３４】
なお、後述もするように、テレビ受像機１はアナログ入力端子を備え、アナログの映像信号や音声信号の供給を受けて処理することも可能なものであり、また、ＨＤＤ２、ＩＲＤ３は、アナログ出力端子を備え、アナログの映像信号や音声信号を出力することもできるし、また、ＨＤＤ２は、アナログ入力端子を備え、アナログ信号の供給を受けて、これをデジタル化して記録することもできるものである。
【００３５】
そして、図１に示した家庭内ネットワークシステムを構成する各機器は、自機からデジタル通信路の接続関係を確立するようにして、デジタルデータの送信あるいは受信を行うようにした場合であって、外来ノイズ等の外的な要因によってバスリセットが発生した場合には、使用者の手を煩わせることなく、できるだけ自動的にデータの送受信を再開することができるようにしている。
【００３６】
つまり、この実施の形態の家庭内ネットワークシステムを構成する各機器は、自機から接続関係を確立したデジタル通信路を通じてデータの送受信を行っている場合に、バスリセットが発生すると、ＩＥＥＥ１３９４規格において定められている通常の規格時間である１秒以内に、自機と相手機器とのいずれもが通信路上に復帰してこない場合であっても、当該規格時間経過後、予め決められたタイムアウト時間内に自機と相手機器とが復帰してきた場合には、通信路の元の接続関係を再度確立するようにして、データの送受信を続行することができるようにしている。
【００３７】
［各機器の構成例とその動作について］
次に、図１に示した家庭内ネットワークシステムを構成するテレビ受像機１、ＨＤＤ２、ＩＲＤ３の構成例とその動作について説明する。
【００３８】
［テレビ受像機１について］
まず、テレビ受像機１の構成例について説明する。図２は、この実施の形態のテレビ受像機１の構成例を説明するためのブロック図である。図２に示すように、この実施の形態のテレビ受像機１は、ＩＥＥＥ１３９４規格に準拠したデジタル入出力端子１ｉｏと、アナログ映像信号の入力端子１Ｖｄ１、１Ｖｄ２と、アナログ音声信号の入力端子１Ａｕ１、１Ａｕ２とを備えたものである。
【００３９】
そして、テレビ受像機１は、図２に示すように、ＩＥＥＥ１３９４インターフェース回路（以下、ＩＥＥＥ１３９４Ｉ／Ｆ回路という。）１０１と、デ・マルチプレクサ１０２と、映像デコーダ１０３と、音声デコーダ１０４と、Ａ／Ｄ（デジタル／アナログ）変換回路１０５、１０６と、セレクタ１０７と、表示回路１０８と、ディスプレイ１０９と、音声信号処理回路１１０と、スピーカ１１１と、制御部１２０とを備えている。
【００４０】
制御部１２０は、テレビ受像機１の各部を制御するものであり、ＣＰＵ（Ｃｅｎｔｒａｌ  Ｐｒｏｃｅｓｓｉｎｇ  Ｕｎｉｔ）１２１、ＲＯＭ（Ｒｅａｄ  Ｏｎｌｙ  Ｍｅｍｏｒｙ）１２２、ＲＡＭ（Ｒａｎｄｏｍ  Ａｃｃｅｓｓ  Ｍｅｍｏｒｙ）１２３、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）１２４が、ＣＰＵバスを通じて接続されて形成されたマイクロコンピュータでる。
【００４１】
ここで、ＲＯＭ１２２は、ＣＰＵ１２１によって実行される種々のプログラムや処理に必要なデータなどを記憶したものであり、ＲＡＭ１２３は、各種の処理において、処理の途中結果を一時記憶するなどの主に作業領域として用いられるものである。また、ＥＥＰＲＯＭ１２４は、不揮発性メモリであり、テレビ受像機１の電源が落とされた場合にも保持しておくべきデータや設定パラメータなどを保持するものである。
【００４２】
また、制御部１２０には、図２に示すように、赤外線リモコン信号の受光部１３０が接続されており、リモコンコマンダ（以下、リモコンという。）１４０からの使用者の操作に応じたリモコン信号を受光し、これを電気信号に変換して、制御部１２０に供給することができるようにされている。これにより、制御部１２０は、リモコン１４０を通じて供給される使用者からの指示に応じてテレビ受像機１の各部を制御することができるようにされる。
【００４３】
そして、ＨＤＤ２やＩＲＤ３から、例えばＭＰＥＧ（Ｍｏｖｉｎｇ  Ｐｉｃｔｕｒｅ  Ｅｘｐｅｒｔｓ  Ｇｒｏｕｐ）方式などの所定の符号化方式でデータ圧縮された映像データ（映像ＥＳ（Ｅｌｅｍｅｎｔａｒｙ  Ｓｔｒｅａｍ））や音声データ（音声ＥＳ（Ｅｌｅｍｅｎｔａｒｙ  Ｓｔｒｅａｍ））、さらには、制御データ等がパケット化されるとともに、多重化されて形成されたデジタル信号であるＴＳ（Ｔｒａｎｓｐｏｒｔ  Ｓｔｒｅａｍ）信号が、デジタル入出力端子１ｉｏを通じて、このテレビ受像機１に供給される。
【００４４】
デジタル入出力端子１ｉｏを通じて供給されるＴＳ信号は、ＩＥＥＥ１３９４Ｉ／Ｆ回路１０１に供給される。ＩＥＥＥ１３９４Ｉ／Ｆ回路１０１は、ＣＰＵやメモリを備えた構成を有し、自機宛てのデータを受け付けて、このテレビ受像機１において処理が可能な形式のＴＳ信号に変換するなど、フォーマット変換等の処理を行い、処理後のＴＳ信号をデ・マルチプレクサ１０２に供給する。
【００４５】
また、ＩＥＥＥ１３９４Ｉ／Ｆ回路１０１は、制御部１２０からの制御に応じて、目的とする相手機器に対して通信路の接続関係を確立するようにするコネクション要求を形成し、これを送出して、通信路の接続関係を確立するようにしたり、あるいは、相手機器からの自機宛てのコネクション要求を受信して、これに応じて通信路の接続関係を確立したりする機能をも有するものである。
【００４６】
また、ＩＥＥＥ１３９４Ｉ／Ｆ回路１０１は、通信路の接続関係を確立した相手機器はどの機器で、どのチャンネルを使用するか等のいわゆるコネクション情報を自己のメモリ（レジスタ）に保持して、どの機器と通信路の接続関係を確立しているかを管理することができるとともに、カウンタ機能をも備え、例えば、種々の規格時間の計測などをも行うことができるものである。
【００４７】
デ・マルチプレクサ１０２は、ＩＥＥＥ１３９４Ｉ／Ｆ回路１０１から供給を受けたＴＳ信号から、映像データ、音声データ、制御データのそれぞれを分離する。ここで分離された映像データは映像デコーダ１０３に供給され、音声データは音声デコーダ１０４に供給され、また、制御データは制御部１２０に供給される。
【００４８】
映像デコーダ１０３は、デ・マルチプレクサ１０２からの映像データについて、当該映像データのデータ圧縮に用いられた圧縮方式に従って復号化処理（圧縮解凍処理）を行い、データ圧縮前の元の映像データを復元し、これをＤ／Ａ変換回路１０５に供給する。Ｄ／Ａ変換回路１０５は、これに供給された映像データをアナログ映像信号に変換し、これをセレクタ１０７に供給する。
【００４９】
一方、音声デコーダ１０４は、デ・マルチプレクサ１０２からの音声データについて、当該音声データのデータ圧縮に用いられた圧縮方式に従って復号化処理（圧縮解凍処理）を行い、データ圧縮前の元の音声データを復元し、これをＤ／Ａ変換回路１０６に供給する。Ｄ／Ａ変換回路６は、これに供給された音声データをアナログ音声信号に変換し、これをセレクタ１０７に供給する。
【００５０】
また、デ・マルチプレクサ１０２から制御部１２０に供給された制御データは、制御部１２０のＲＡＭ１２３あるいはＥＥＰＲＯＭ１２４に格納されて、必要に応じて各種の制御において用いられることになる。
【００５１】
そして、上述したように、セレクタ１０７には、Ｄ／Ａ変換回路１０５からのアナログ映像信号とＤ／Ａ変換回路１０６からのアナログ音声信号とが供給されるとともに、図２に示すように、入力端子１Ｖｄ１からのアナログ映像信号、入力端子１Ａｕ１からのアナログ音声信号や、入力端子１Ｖｄ２からのアナログ映像信号、入力端子１Ａｕ２からのアナログ音声信号も供給される。
【００５２】
セレクタ１０７は、制御部１２０からの制御信号に応じて、Ｄ／Ａ変換回路１０５、１０６からのアナログ映像信号とアナログ音声信号とを出力するか、入力端子１Ｖｄ１、１Ａｕ１からのアナログ映像信号とアナログ音声信号とを出力するか、あるいは、入力端子１Ｖｄ２、１Ａｕ２からのアナログ映像信号とアナログ音声信号とを出力するかを切り換える。
【００５３】
ここで、制御部１２０からの制御信号は、リモコン１４０を通じて供給された使用者からの指示入力に応じたものである。そして、セレクタ１０７から出力されるアナログ映像信号は、表示回路１０８に供給され、セレクタ１０７から出力されるアナログ音声信号は、音声信号処理回路１１０に供給される。
【００５４】
表示回路１０８は、これに供給されたアナログ映像信号からディスプレイ１０９に供給して映像を表示するようにするための映像信号を形成し、これをディスプレイ１０９に供給する。また、音声信号処理回路１１０は、これに供給されたアナログ音声信号を増幅したり、種々のフィルタ処理を行ったりして、スピーカ１１１に供給する音声信号を形成し、これをスピーカ１１１に供給する。
【００５５】
これにより、デジタル入出力端子１ｉｏを通じて供給されたＴＳ信号の映像データ、音声データに応じて映像や音声、あるいは、アナログ信号の入力端子であり入力端子１Ｖｄ１、１Ａｕ１、あるいは、入力端子１Ｖｄ２、１Ａｕ２を通じて受け付けたアナログ映像信号、アナログ音声信号に応じた映像、音声を使用者に供給することができるようにされる。
【００５６】
このように、この実施の形態のテレビ受像機１は、従来からのアナログ入力端子に加え、ＩＥＥＥ１３９４規格のデジタルインターフェース機能を備え、ＨＤＤ２やＩＲＤ３からデジタルデータ（ＴＳ信号）の供給を受けて、これを処理し、利用するようにすることができるものである。
【００５７】
［ＨＤＤ２について］
次に、ＨＤＤ２の構成例について説明する。図３は、この実施の形態のＨＤＤ２の構成例を説明するためのブロック図である。図３に示すように、この実施の形態のＨＤＤ２は、デジタル信号の入出力系と、アナログ信号の入力系と、アナログ信号の出力系とを備えたものである。
【００５８】
すなわち、ＨＤＤ２において、デジタル信号の入出力系は、ＩＥＥＥ１３９４規格に準拠したデジタル入出力端子２ｉｏとＩＥＥＥ１３９４Ｉ／Ｆ回路２０１とからなる部分である。
【００５９】
また、アナログ信号の入力系は、アナログ映像信号の入力端子２ｉＶと、ＹＣ分離回路２０５と、ＮＴＳＣエンコーダ２０６と、プリ映像信号処理回路２０７と、映像エンコーダ２０８とからなる映像信号入力処理系と、アナログ音声信号の入力端子２ｉＡと、プリ音声信号処理回路２１０と、音声エンコーダ２１１とからなる音声信号入力処理系とからなる部分である。
【００６０】
また、アナログ信号の出力系は、映像デコーダ２１２と、ポスト映像信号処理回路２１３と、ＯＳＤ（Ｏｎ  Ｓｃｒｅｅｎ  Ｄｉｓｐｌａｙ）回路２１４と、ＮＴＳＣエンコーダ２１５と、アナログ映像信号の出力端子２ｏＶとからなる映像信号出力処理系と、音声デコーダ２１６、ポスト音声信号処理回路２１７と、Ｄ／Ａ変換回路２１８と、アナログ音声信号の出力端子２ｏＡとからなる音声信号出力処理系とからなる部分である。
【００６１】
さらに、このＨＤＤ２は、供給された映像データや音声データなどを多重化して記録用のＴＳ信号を形成したり、また、ＴＳ信号から映像データ、音声データ、制御データを分離したりする多重・分離部２０２や、バッファ制御回路２０３、ハードディスク２０４を備えるとともに、このＨＤＤ２の各部を制御する制御部２２０を備えている。
【００６２】
制御部２２０は、図３に示すように、ＣＰＵ２２１、ＲＯＭ２２２、ＲＡＭ２２３、ＥＥＰＲＯＭ２２４がＣＰＵバスを通じて接続されて構成されたマイクロコンピュータである。ここで、ＲＯＭ２２２は、ＣＰＵ２２１により実行される各種のプログラムや処理に必要なデータが記録されたものである。また、ＲＡＭ２２３は、主に作業領域として用いられるものである。ＥＥＰＲＯＭ２２４は、不揮発性メモリであり、ＨＤＤ２の電源が落とされても保持しておくべきデータ、例えば設定パラメータなどを保持するものである。
【００６３】
この制御部２２０には、図３に示すように、赤外線のリモコン信号の受光部２３０が接続されている。リモコン信号の受光部２３０は、使用者の操作入力に応じたリモコン２４０からの赤外線のリモコン信号を受光し、これを電気信号に変換して制御部２２０に供給することができるものである。これにより、制御部２２０は、リモコン２４０を通じて供給される使用者からの指示に応じて、ＨＤＤ２の各部を制御することができるようにしている。
【００６４】
［記録処理時の動作について］
まず、このＨＤＤ２において、ハードディスク２０４にデータを記録する場合の動作について説明する。この実施の形態においては、ＩＲＤ３から、例えばＭＰＥＧ（Ｍｏｖｉｎｇ  Ｐｉｃｔｕｒｅ  Ｅｘｐｅｒｔｓ  Ｇｒｏｕｐ）方式などの所定の符号化方式でデータ圧縮された映像データ（映像ＥＳ）や音声データ（音声ＥＳ）、さらに制御データ等がパケット化されるとともに、多重化されて形成されたデジタル信号であるＴＳ信号が、入出力端子２ｉｏ１あるいは入力端子２ｉｏ２を通じて、ＩＥＥＥ１３９４Ｉ／Ｆ回路２０１に供給される。
【００６５】
ＩＥＥＥ１３９４Ｉ／Ｆ回路２０１は、上述したテレビ受像機１のＩＥＥＥ１３９４Ｉ／Ｆ回路１０１と同様に、ＣＰＵやメモリを備えた構成を有し、自機宛てのデータを受け付けて、このＨＤＤ２において処理が可能な形式のＴＳ信号に変換するなど、フォーマット変換等の処理を行い、処理後のＴＳ信号を多重・分離部２０２に供給する。
【００６６】
また、ＩＥＥＥ１３９４Ｉ／Ｆ回路２０１は、制御部２２０からの制御に応じて、目的とする相手機器に対して通信路の接続関係を確立するようにするコネクション要求を形成し、これを送出して、通信路の接続関係を確立するようにしたり、あるいは、相手機器からの自機宛てのコネクション要求を受信して、これに応じて通信路の接続関係を確立したりする機能をも有するものである。
【００６７】
また、ＩＥＥＥ１３９４Ｉ／Ｆ回路２０１は、通信路の接続関係を確立した相手機器はどの機器で、どのチャンネルを使用するか等のいわゆるコネクション情報を自己のメモリ（レジスタ）に保持して、どの機器と通信路の接続関係を確立しているかを管理することができるとともに、カウンタ機能をも備え、例えば、種々の規格時間の計測などをも行うことができるものである。
【００６８】
多重・分離部２０２は、ＩＥＥＥ１３９４Ｉ／Ｆ回路２０１からのＴＳ信号に必要なデータを付加するなどの処理を行い、記録用のＴＳ信号を形成する。多重・分離部２０２において形成されたＴＳ信号は、バッファ制御回路２０３を介して、ハードディスク２０４に記録される。
【００６９】
また、このＴＳ信号の記録時において、多重・分離部２０２は、ＩＥＥＥ１３９４Ｉ／Ｆ回路２０１からのＴＳ信号を、映像データ、音声データ、制御データに分離し、映像データを映像デコーダ２１２に、音声データを音声デコーダ２１６に、また、制御データを制御部２２０に供給する。
【００７０】
映像デコーダ２１２は、多重・分離部２０２からの映像データについて、当該映像データのデータ圧縮に用いられた圧縮方式に従って復号化処理（圧縮解凍処理）を行い、データ圧縮前の元の映像データを復元して、これをポスト映像信号処理回路２１３に供給する。
【００７１】
ポスト映像信号信号処理回路２１３は、後述するプリ映像信号処理回路２０７からの映像データと映像デコーダ２１２からの映像データとのいずれを処理するかを切り換える切換回路や、ノイズ除去回路、映像補間処理回路などからなるものであり、ここで処理された映像データは、ＯＳＤ回路２１４に供給される。
【００７２】
ＯＳＤ回路２１４は、制御部２２０からの制御に応じて、画面表示用の種々の表示用データを形成し、これをポスト映像信号処理回路２１３からの映像データに重畳するなどの処理を行う。ＯＳＤ回路２１４からの映像信号は、ＮＴＳＣエンコーダ２１５に供給される。
【００７３】
ＮＴＳＣエンコーダ２２は、これに供給された映像データ（コンポーネントデジタル信号）をＹＣ信号に変換した後、Ｄ／Ａ変換を行い、アナログの例えばコンポジット映像信号を得て、これをアナログ映像信号の出力端子２ｏＶを通じて出力する。なお、ＮＴＳＣエンコーダ２１５において、セパレート映像信号を得て、これを出力するように構成することも可能である。
【００７４】
一方、音声デコーダ２１６は、多重・分離部２０２からの音声データについて、当該音声データのデータ圧縮に用いられた圧縮方式に従って復号化処理（圧縮解凍処理）を行い、データ圧縮前の元の音声データを復元し、これをポスト音声信号処理回路２１７に供給する。
【００７５】
ポスト音声信号処理回路２１７は、後述するプリ音声信号処理回路２１０からの音声データと音声デコーダ２１６からの音声データとのいずれを処理するかを切り換える切換回路や、ノイズ除去回路などからなるものであり、ここで処理された音声データは、Ｄ／Ａ変換回路２１８に供給される。Ｄ／Ａ変換回路２１８は、これに供給されたデジタル音声信号をアナログ音声信号に変換し、変換後のアナログ音声信号をアナログ音声信号の出力端子２ｏＡを通じて出力される。
【００７６】
このように、デジタル入出力端子２ｉｏ１、２ｉｏ２を通じて供給されるＴＳ信号は、ハードディスク２０４に記録するとともに、同時にアナログ信号に変換して出力することもできるようにされている。なお、出力されるアナログ映像信号、アナログ音声信号は、モニタ受像機などに供給されて利用することができるようにされる。
【００７７】
また、アナログ映像信号の入力端子２ｉＶを通じて供給されるアナログ映像信号（この例の場合にはコンポジット信号）は、ＹＣ分離回路２０５に供給される。ＹＣ分離回路２０５は、これに供給されたコンポジット映像信号をＹＣ分離し、ＹＣ分離後の映像信号をＮＴＳＣデコーダ２０６に供給される。
【００７８】
ＮＴＳＣデコーダ２０６は、これに供給された映像信号について、Ａ／Ｄ変換、クロマエンコードの処理を施し、デジタルコンポーネントビデオ信号（映像データ）に変換し、これをプリ映像信号処理回路２０７に供給する。
【００７９】
また、ＮＴＳＣデコーダ２０６は、入力映像信号の水平同期信号を基準に生成したクロック信号と、同期分離して得た水平同期信号、垂直同期信号、フィールド判別信号とを図示しない同期制御回路に供給し、各ブロックにおいて必要となるタイミング信号等を生成して、各ブロックに供給するようにもしている。
【００８０】
プリ映像信号処理回路２０７は、これに供給された映像データに対してプリフィルター等の各種映像信号処理を施し、処理後の映像データを映像デコーダ２０８と、ポスト映像信号処理回路２１３とに供給する。映像デコーダ２０８は、これに供給された映像データを所定の圧縮方式（例えば、ＭＰＥＧ方式）でデータ圧縮して、映像ＥＳを生成し、これを多重・分離部２０２に供給する。
【００８１】
一方、アナログ音声信号の入力端子２ｉＡを通じて供給されるアナログ音声信号は、Ａ／Ｄ変換回路２０９に供給される。Ａ／Ｄ変換回路２０９は、これに供給されたアナログ音声信号をデジタル音声信号（音声データ）に変換し、これをプリ音声信号処理回路２１０に供給する。
【００８２】
プリ音声信号処理回路２１０は、これに供給された音声データに必要となるフィルタリング処理などを施し、処理後の音声データを音声デコーダ２１１と、ポスト音声信号処理回路２１７とに供給する。音声デコーダ２１１は、これに供給された音声データを所定の圧縮方式（例えば、ＭＰＥＧ方式）でデータ圧縮して、音声ＥＳを生成し、これを多重・分離部２０２に供給する。
【００８３】
多重・分離部２０２は、映像デコーダ２０８からの映像データ（映像ＥＳ）と、音声デコーダ２１１からの音声データ（音声ＥＳ）と、さらに制御データとをパケット化するとともに多重化し、記録用のＴＳ信号を形成し、これをバッファ制御回路２０４を介して、ハードディスク２０４に記録する。
【００８４】
この場合、プリ映像信号処理回路２０７からの映像データはポスト映像信号処理回路２１３に供給され、また、プリ音声信号処理回路２１０からの音声データはポスト音声信号処理回路２１７に供給される。これにより、上述したポスト映像信号処理回路２１３、ＯＳＤ回路２１４、ＮＴＳＣエンコーダ２１５の機能により、記録される映像データに応じたアナログ映像信号を出力することができ、また、ポスト音声信号処理回路２１７、Ｄ／Ａ変換回路２１８の機能により、記録される音声データに応じたアナログ音声信号を出力することができるようにされている。
【００８５】
つまり、この実施の形態のＨＤＤ２は、デジタル信号であるＴＳ信号の供給を受けて、これをハードディスク２０４に記録する場合であっても、また、アナログ映像信号、アナログ音声信号の供給を受けて、これらをデジタル化して記録する場合であっても、記録するようにする映像データ、音声データによる映像、音声をモニタするなどのことができるようにされている。
【００８６】
［再生処理時の動作について］
次に、ハードディスク２０４に記録されたＴＳ信号の再生処理時の動作について説明する。まず、デジタル出力する場合について説明する。制御部２２０の制御により、バッファ制御回路２０３を通じてハードディスク２０４からこれに記録されているＴＳ信号が読み出され、これが多重・分離部２０２に供給される。
【００８７】
この場合、多重・分離部２０２は、読み出されたＴＳ信号をＩＥＥＥ１３９４Ｉ／Ｆ回路２０１に供給する。ＩＥＥＥ１３９４Ｉ／Ｆ回路２０１は、多重・分離部２０２からのＴＳ信号からＩＥＥＥ１３９４規格に準拠した出力用のＴＳ信号を形成し、デジタル入出力端子２ｉｏ１、あるいは、デジタル入出力端子２ｉｏ２を通じて目的とする相手機器に対して送出する。
【００８８】
また、アナログ出力する場合には、以下のように動作する。すなわち、制御部２２０の制御により、バッファ制御回路２０３を通じてハードディスク２０４からこれに記録されているＴＳ信号が読み出され、多重・分離部２０２に供給される。多重・分離部２０２は、バッファ制御回路２０３からのＴＳ信号を、映像データ（映像ＥＳ）、音声データ（音声ＥＳ）、制御データに分離する。そして、分離された映像データは映像デコーダ２１２に供給され、分離された音声データは音声デコーダ２１６に供給され、また、分離差された制御データは制御部２２０に供給される。
【００８９】
そして、上述もしたように、映像デコーダ２１２と、ポスト映像信号処理回路２１３と、ＯＳＤ回路２１４と、ＮＴＳＣエンコーダ２１５と、アナログ映像信号の出力端子２ｏＶとからなる映像信号出力処理系と、音声デコーダ２１６、ポスト音声信号処理回路２１７と、Ｄ／Ａ変換回路２１８と、アナログ音声信号の出力端子２ｏＡとからなる音声信号出力処理系との機能により、ハードディスク２０４から読み出されたＴＳ信号は、アナログ映像信号、アナログ音声信号に変換されて出力され、利用することができるようにされる。
【００９０】
このように、この実施の形態のＨＤＤ２は、アナログ信号の入力系と出力系のほか、ＩＥＥＥ１３９４規格のデジタルインターフェース機能を備え、ＩＲＤ３からデジタルデータ（ＴＳ信号）の供給を受けて、これをハードディスク２０４に記録したり、ハードディスク２０４に記録されているＴＳ信号をテレビ受像機１に送信したりすることができるものである。
【００９１】
なお、この実施の形態のＨＤＤ２は、デジタル信号の入出力端子として、入出力端子２ｉｏ１、２ｉｏ２を備えている。そして、この実施の形態においては、例えば、入出力端子２ｉｏ１にはテレビ受像機１が接続され、入出力端子２ｉｏ２には、ＩＲＤ３が接続するようにされる。
【００９２】
そして、ＩＲＤ３からテレビ受像機１へ信号を送信する場合には、ＨＤＤ２のＩＥＥＥ１３９４Ｉ／Ｆ回路２０１は、ＩＲＤ３からの信号を自機へは取り込まずに、テレビ受像機１に送信することができるものである。つまり、ＨＤＤ２のＩＥＥＥ１３９４Ｉ／Ｆ回路２０１は、自機へのデータ以外は取り込まずにそのままスルーするようにすることができるものである。
【００９３】
［ＩＲＤ３について］
次に、ＩＲＤ３の構成例について説明する。図４は、この実施の形態のＩＲＤ３の構成例を説明するためのブロック図である。図４に示すように、この実施の形態のＩＲＤ３は、ＩＥＥＥ１３９４規格に準拠したデジタル入出力端子３ｉｏと、アナログ映像信号の出力端子３ｏＶと、アナログ音声信号の出力端子３ｏＡとを備えたものである。
【００９４】
そして、この実施の形態のＩＲＤ３は、図４に示すように、デジタル放送信号の受信アンテナ３０１からの受信信号の供給を受けるＢＳ／ＣＳチューナ部３０２と、デ・スクランブル部３０３と、ＩＥＥＥ１３９４Ｉ／Ｆ回路３０４とを備えるとともに、デ・マルチプレクサ３０５、映像デコーダ３０６、音声デコーダ３０７、Ｄ／Ａ変換回路３０８、Ｄ／Ａ変換回路３０９、制御部３１０を備えたものである。
【００９５】
制御部３１０は、このＩＲＤ３の各部を制御するものであり、ＣＰＵ３１１、ＲＯＭ３１２、ＲＡＭ３１３、ＥＥＰＲＯＭ３１４がＣＰＵバスによって接続されて構成されたマイクロコンピュータである。ここで、ＲＯＭ３１２は、ＣＰＵ３１１によって実行される各種のプログラムや処理に必要になるデータが記録されたものであり、ＲＡＭ３１３は、主に作業領域として用いられるものである。
【００９６】
また、ＥＥＰＲＯＭ３１４は、不揮発性のメモリであり、電源が落とされても保持しておく必要のある例えば各種の設定パラメータなどが保持するようにされる。また、制御部３１０には、赤外線のリモコン信号の受光部３２０が接続されている。
【００９７】
リモコン信号の受光部３２０は、使用者の操作に応じた赤外線のリモコン信号を送出するリモコン３３０からのリモコン信号を受光し、これを電気信号に変換して、制御部３１０に供給することができるものである。これにより、使用者の指示入力に応じたリモコン３３０からのリモコン信号に応じて、制御部３１０は、ＩＲＤ３の各部を制御することができるようにしている。
【００９８】
そして、受信アンテナ３０１で受信されたデジタル放送信号は、ＢＳ／ＣＳチューナ部３０２に供給される。ＢＳ／ＣＳチューナ部３０２は、制御部３１０からの選局制御信号に応じて、目的とするデジタル放送信号を選局して復調し、これをデ・スクランブル部３０３に供給する。
【００９９】
デ・スクランブル部３０３は、制御部３１０からのキー情報に基づいて、ＢＳ／ＣＳチューナ部３０２からの復調されたデジタル放送信号に施されているスクランブル処理を解除し、スクランブル解除後のデジタル放送信号を、ＩＥＥＥ１３９４Ｉ／Ｆ回路３０４とデ・マルチプレクサ３０５に供給する。
【０１００】
ＩＥＥＥ１３９４Ｉ／Ｆ回路３０４は、上述したテレビ受像機１、ＨＤＤ２のＩＥＥＥ１３９４Ｉ／Ｆ回路１０１、２０１と同様に、ＣＰＵやメモリを備えた構成を有し、目的とする相手機器に提供する送出用のＴＳ信号を形成して、これを入出力端子３ｉｏを通じて目的とする相手機器に送出する。
【０１０１】
また、ＩＥＥＥ１３９４Ｉ／Ｆ回路３０４は、制御部３１０からの制御に応じて、目的とする相手機器に対して通信路の接続関係を確立するようにするコネクション要求を形成し、これを送出して、通信路の接続関係を確立するようにしたり、あるいは、相手機器からの自機宛てのコネクション要求を受信して、これに応じて通信路の接続関係を確立したりする機能をも有するものである。
【０１０２】
また、ＩＥＥＥ１３９４Ｉ／Ｆ回路３０４は、通信路の接続関係を確立した相手機器はどの機器で、どのチャンネルを使用するか等のいわゆるコネクション情報を自己のメモリ（レジスタ）に保持して、どの機器と通信路の接続関係を確立しているかを管理することができるとともに、カウンタ機能をも備え、例えば、種々の規格時間の計測などをも行うことができるものである。
【０１０３】
デ・マルチプレクサ３０５は、デ・スクランブル部３０３からのスクランブルが解除されたＴＳ信号の供給を受けて、このＴＳ信号から、映像データ、音声データ、制御データのそれぞれを分離する。ここで分離された映像データは映像デコーダ３０６に供給され、音声データは音声デコーダ３０７に供給され、また、制御データは制御部３１０に供給される。
【０１０４】
映像デコーダ３０６は、デ・マルチプレクサ３０５からの映像データについて、当該映像データのデータ圧縮に用いられた圧縮方式に従って復号化処理（圧縮解凍処理）を行い、データ圧縮前の元の映像データを復元し、これをＤ／Ａ変換回路３０８に供給する。Ｄ／Ａ変換回路３０８は、これに供給された映像データをアナログ映像信号に変換し、これをアナログ映像信号の出力端子３ｏＶを通じて外部に出力するようにする。
【０１０５】
一方、音声デコーダ３０７は、デ・マルチプレクサ３０５からの音声データについて、当該音声データのデータ圧縮に用いられた圧縮方式に従って復号化処理（圧縮解凍処理）を行い、データ圧縮前の元の音声データを復元し、これをＤ／Ａ変換回路３０９に供給する。Ｄ／Ａ変換回路３０９は、これに供給された音声データをアナログ音声信号に変換し、これをアナログ音声信号の出力端子３ｏＡを通じて外部に供給する。
【０１０６】
また、デ・マルチプレクサ３０５から制御部３１０に供給された制御データは、制御部３１０のＲＡＭ３１３あるいはＥＥＰＲＯＭ３１４に格納されて、必要に応じて、各種の制御において用いられることになる。
【０１０７】
このように、この実施の形態のＩＲＤ３は、アナログ信号の出力端子を備えるとともに、ＩＥＥＥ１３９４規格のデジタルインターフェース機能を備え、デジタル放送信号を受信、復調し、これをＴＳ信号として、テレビ受像機１やＨＤＤ２に対して供給することができるものである。
【０１０８】
［ＩＥＥＥ１３９４Ｉ／Ｆ回路の動作について］
そして、上述もしたように、この実施の形態において、テレビ受像機１、ＨＤＤ２、ＩＲＤ３は、図１に示したように、ＩＥＥＥ１３９４ケーブル４、５を通じて、バス接続するようにされている。そして、テレビ受像機１は、ＩＥＥＥ１３９４Ｉ／Ｆ回路１０１を通じて、ＨＤＤ２やＩＲＤ３からＴＳ信号の供給を受けて、これを利用することができるようにされている。
【０１０９】
また、ＨＤＤ２は、ＩＥＥＥ１３９４Ｉ／Ｆ回路２０１を通じて、ハードディスクに記録しているＴＳ信号をテレビ受像機１に供給したり、ＩＲＤ３からＴＳ信号の供給を受けて、これをハードディスクに記録したりすることができるものである。また、ＩＲＤ３は、ＩＥＥＥ１３９４Ｉ／Ｆ回路３０４を通じて、テレビ受像機１やＨＤＤ２に対して、受信復調したデジタル放送信号をＴＳ信号として供給することができるものである。
【０１１０】
そして、テレビ受像機１のＩＥＥＥ１３９４Ｉ／Ｆ回路１０１、ＨＤＤ２のＩＥＥＥ１３９４Ｉ／Ｆ回路２０１、ＩＲＤ３のＩＥＥＥ１３９４Ｉ／Ｆ回路３０４のそれぞれにおいては、自機から目的とする相手機器との間に通信路の接続関係を確立した場合（コネクションを張った場合）であって、外来ノイズ等の影響を受けて、いわゆるバスリセットが発生した場合に、できる限り自動的に通信路を復旧し、データの送信、受信を継続させることができるようにしている。
【０１１１】
以下、この実施の形態の家庭内ネットワークを形成するテレビ受像機１、ＨＤＤ２、ＩＲＤ３の各ＩＥＥＥ１３９４Ｉ／Ｆ回路において、自機からコネクションを張るようにした場合の処理について、図５のフローチャートを参照しながら説明する。
【０１１２】
図５は、テレビ受像機１のＩＥＥＥ１３９４Ｉ／Ｆ回路１０１、ＨＤＤ２のＩＥＥＥ１３９４Ｉ／Ｆ回路２０１、ＩＲＤ３のＩＥＥＥ１３９４Ｉ／Ｆ回路３０４が、自機からコネクションを張るようにした場合に、各ＩＥＥＥ１３９４Ｉ／Ｆ回路において実行される処理を説明するためのフローチャートである。
【０１１３】
すなわち、図５に示す処理は、例えば、リモコンを通じて使用者からの、目的とする電子機器との間に通信路を接続するようにする指示入力を受け付けた場合に、その指示を受けた電子機器のＩＥＥＥ１３９４Ｉ／Ｆ回路において実行される。
【０１１４】
そして、指示を受けたＩＥＥＥ１３９４Ｉ／Ｆ回路のＣＰＵは、目的とする相手機器の識別情報を含む、コネクション要求を形成し、これをＩＥＥＥ１３９４バスに送出して、目的とする相手機器に対して送信するようにし、通信路の接続関係を確立する処理（コネクションを張るようにする処理）を行う（ステップＳ１）。
【０１１５】
ステップＳ１のコネクション要求に応じて、相手機器が通信路の接続に応じるコマンドを返してきたときには、その相手機器との間に通信路の接続関係を確立する（ステップＳ２）。このステップＳ２において、コネクション要求の送信元の機器と、受信先の機器のＩＥＥＥ１３９４Ｉ／Ｆ回路のメモリには、通信路の接続関係を確立した機器と使用するチャンネルなどの情報が記憶保持するようにされる。
【０１１６】
そして、アイソクロナス転送が用いられてデータの送受が行われる（ステップＳ３）。すなわち、このステップＳ３の処理は、コネクション要求の送信元の機器が、テレビ受像機１である場合には、目的とする電子機器（ＨＤＤ２あるいはＩＲＤ３）から送信されてくるデータを順次に受信することになる。
【０１１７】
また、コネクション要求の送信元の機器が、ＨＤＤ２である場合には、目的とする電子機器（テレビ受像機１に）データを順次に送信したり、あるいは、目的とする電子機器（ＩＲＤ３）から送信されてくるデータを順次に受信したりすることになる。また、コネクション要求の送信元の機器が、ＩＲＤ３である場合には、目的とする電子機器（テレビ受像機１あるいはＨＤＤ２）にデータを順次に送信することになる。
【０１１８】
そして、コネクション要求の送信元の機器のＩＥＥＥ１３９４Ｉ／Ｆ回路のＣＰＵは、バスリセットが発生したか否か（バスリセット信号を検出したか否か）を判断する（ステップＳ４）。ステップＳ４の判断処理において、バスリセットは発生していないと判断したときには、当該ＩＥＥＥ１３９４Ｉ／Ｆ回路のＣＰＵは、ステップＳ７の処理に進み、データの送信あるいは受信の動作を継続し（ステップＳ７）、データの送信あるいは受信が終了したか否かを判断する（ステップＳ８）。
【０１１９】
ステップＳ８の判断処理において、データの送信あるいは受信が終了したと判断したときには、データの送信あるいは受信は終了し、張られたコネクションが解除するようにされて、この図５に示す処理は終了する。また、ステップＳ８の判断処理において、データの送信あるいは受信が終了していないと判断したときには、当該ＩＥＥＥ１３９４Ｉ／Ｆ回路のＣＰＵは、ステップＳ４からの処理を繰り返す。
【０１２０】
ステップＳ４の判断処理において、バスリセットが発生したと判断したときには、バスリセットが発生してから１秒以内に、自機と相手機器とがバス上に復帰したか否かを判断する（ステップＳ５）。ステップＳ５の判断処理において、１秒以内に復帰したと判断したときには、上述もしたようにＩＥＥＥ１３９４規格に従って、自動的にコネクションが復旧され、データは途切れずに送信あるいは受信される（ステップＳ６）。
【０１２１】
そして、当該ＩＥＥＥ１３９４Ｉ／Ｆ回路のＣＰＵは、ステップＳ７の処理に進み、データの送信あるいは受信の動作を継続し（ステップＳ７）、データの送信あるいは受信が終了したか否かを判断して（ステップＳ８）、送信あるいは受信が終了していないときには、ステップＳ４からの処理を繰り返し、送信あるいは受信が終了したと判断したときには、この図５に示す処理を終了する。
【０１２２】
ステップＳ５の判断処理において、バスリセットの発生から１秒以内に自機あるいは相手機器がバス上に復帰できなかったと判断したときには、コネクション要求の送信元の機器のＩＥＥＥ１３９４Ｉ／Ｆ回路のＣＰＵは、予め決められた一定時間Ｔｓの間において、ＩＥＥＥ１３９４バス上を監視するようにし、相手機器が当該バス上に復帰してきたか否かを監視する（ステップＳ９）。
【０１２３】
そして、当該ＩＥＥＥ１３９４Ｉ／Ｆ回路のＣＰＵは、一定時間のＴｓの間に目的とする相手機器がバス上に復帰してきたか否かを判断し（ステップＳ１０）、目的とする相手機器がバス上に復帰してきたと判断したときには、コネクション要求を送出した機器のＩＥＥＥ１３９４Ｉ／Ｆ回路のＣＰＵは、自機から再度、コネクション要求を目的とする相手機器に送出するようにして、コネクションを再度張る（接続関係を確立する）処理を実行し（ステップＳ１１）、中断されたデータの送信あるいは受信を再開する（ステップＳ１２）。
【０１２４】
なお、ステップＳ１０において、一定時間Ｔｓの間に、ＩＥＥＥ１３９４バス上を監視し、相手機器が当該バス上に復帰してこなかったと判断したときには、データの送信あるいは受信の継続は困難であると判断し、コネクションを再度張る処理は行わずに、例えば、使用者の対応を待つようにする（ステップＳ１３）。
【０１２５】
このように、この実施の形態の家庭内ネットワークシステムを構成する各機器は、ＩＥＥＥ１３９４規格のデジタルインターフェースを通じて、映像データや音声データ等のリアルタイムな処理が要求されるリアルタイムデータを送受信している場合に、外来ノイズ等の影響によりバスリセットが発生しても、通常の規格の上での復帰待ち時間の１秒以上であって、例えば、１秒前後の時間の間において、再度バス上を監視し、データのデジタル伝送を行っていた電子機器がＩＥＥＥ１３９４Ｉ／Ｆバスに復帰してきたときには、直前に張られていたコネクションを自動的に張りなおして、データの送受を再開することができるようにされる。
【０１２６】
このように、外来ノイズ等の影響によりバスリセットが発生した場合には、自機や相手機器の状態が不安定になったり、また、自機と相手機器との間に他の機器が存在する場合には、その機器の状態が不安定になるなどして、ＩＥＥＥ１３９４規格において定められている規格時間である１秒以内にデータの送受を行っていた双方の機器がバス上に復帰できない場合が発生しても、規格時間終了直後からの一定時間Ｔｓ以内にデータの送受を行っていた双方の機器がバス上に復帰してきたときには、自動的にコネクションを張り直して、データの送受を再開することができるようにされる。
【０１２７】
したがって、外来ノイズ等の影響を受けて、機器が意図しないコネクション外れが発生した場合であっても、これを適正に回避し、データの送受を続行することができる。これに対し、ＩＥＥＥ１３９４ケーブルを外したり、相手機器の電源が落ちるなどの使用者が意図するコネクションの解除が発生した場合には、ＩＥＥＥ１３９４規格に定められている通常通りの動作、すなわち、バスリセット後、使用者による通信路の接続関係を確立させるようにする指示を待ってコネクションを張るという動作を問題なく行うようにすることができるようにされる。
【０１２８】
また、コネクション要求を送出した機器からコネクションの再接続を行うようにするので、確実の元の接続関係の通りにコネクションを張り直すことができ、接続関係を混乱させること無く、データの送受を元の状態のまま再開させることができる。つまり、安定な動作環境を保持することができる。
【０１２９】
なお、再度バス上を監視する一定時間Ｔｓは、０．３秒、０．５秒、０．７秒などの１秒以下の時間であってもよいし、１．２秒、１．５秒などの１秒以上の適宜の時間であってもよい。また、２秒、３秒、…などの比較的に長い時間とすることもできる。
【０１３０】
また、一定時間Ｔｓの間は必ず監視を行うというのではなく、自機と相手機器とがバス上に復帰してきたことを検出したら即座にコネクションの張り直しを行うことによって、データの途切れを最小限に止めることが可能である。
【０１３１】
また、上述の実施の形態においては、テレビ受像機１、ＨＤＤ２、ＩＲＤ３を用いて家庭内ネットワークシステムを構築する場合を例にして説明したが、これに限るものではない。複数台のテレビ受像機、ＨＤＤ、ＩＲＤを用いるようにしてもよいし、ＤＶＴＲ（Ｄｉｇｉｔａｌ  Ｖｉｄｅｏ  Ｔａｐｅ  Ｒｅｃｏｒｄｅｒ）やパーソナルコンピュータなどの他のデジタル電子機器などを接続するようにしてもよい。
【０１３２】
また、ＨＤＤ２がＩＲＤ３からＴＳ信号を記録する場合であって、バスリセットによって、データの送受信が中断された場合には、ＨＤＤ２において、ＩＲＤ３からの受信データを確認することにより、データの抜けを検出し、このデータ抜けがあった部分からのデータの再送を要求したり、その抜け部分の再送を要求するなどのこともできるようにされる。
【０１３３】
また、上述した実施の形態においては、ＩＥＥＥ１３９４規格のデジタルインターフェースを用いる場合を例にして説明したが、これに限るものではない。ＩＥＥＥ１３９４規格のデジタルインターフェースの場合と同じ様に、データの送受信に先立ち、相手機器との間でコネクションを確立する動作を行うインターフェースであって、外来ノイズ等の影響を受けてバスリセットが発生するような種々のデジタルインターフェースを用いることが可能な電子機器、通信方法にこの発明を適用することができる。
【０１３４】
【発明の効果】
以上説明したように、この発明によれば、使用者が意図しないバスリセットが発生した場合の不都合を改善し、映像データや音声データ等のリアルタイムデータを適正に処理することができるようにされる。これにより、リアルタイムデータの記録媒体への適正な記録を行うようにすることができる。
【図面の簡単な説明】
【図１】この発明による装置、方法の一実施の形態が適用されて構成された家庭内ネットワークシステムの構成例を説明するための図である。
【図２】この発明による装置、方法の一実施の形態が適用されて形成されたテレビ受像機を説明するための図である。
【図３】この発明による装置、方法の一実施の形態が適用されて形成されたＨＤＤ（ハードディスク装置）を説明するための図である。
【図４】この発明による装置、方法の一実施の形態が適用されて形成されたＩＲＤ（デジタル放送信号の受信機）を説明するための図である。
【図５】図２、図３、図４に示した各電子機器のＩＥＥＥ１３９４Ｉ／Ｆ回路において実行される処理を説明するためのフローチャートである。
【符号の説明】
１…テレビ受像機、１０１…ＩＥＥＥ１３９４Ｉ／Ｆ回路、１ｉｏ…デジタル入出力端子、２…ＨＤＤ、２０１…ＩＥＥＥ１３９４Ｉ／Ｆ回路、２ｉｏ１、２ｉｏ２…デジタル入出力端子、３…ＩＲＤ、３０４…ＩＥＥＥ１３９４Ｉ／Ｆ回路、３ｉｏ…デジタル入出力端子
【図１】
2004254126.tif 000003
【図２】
2004254126.tif 000004
【図３】
2004254126.tif 000005
【図４】
2004254126.tif 000006
【図５】
2004254126.tif 000007